(57)【特許請求の範囲】
【請求項１】
取引口と、
該取引口から後方に延出するとともに識別部が設けられる上側搬送経路と、
該上側搬送経路の前記取引口とは反対側の端部から下方かつ前方に折り返す転換搬送経路と、
該転換搬送経路の前記上側搬送経路とは反対側の端部から前方に延出する下側搬送経路と、
該下側搬送経路の前記転換搬送経路とは反対側の端部と前記上側搬送経路の前記取引口および前記識別部の間とを接続する接続搬送経路と、
前記下側搬送経路の下方に、該下側搬送経路に沿う水平方向に並設されて該下側搬送経路との間で紙幣を出し入れする複数の紙幣庫と、を有する紙幣入出金機であって、
前記複数の紙幣庫の後方に、新券紙幣専用の複数の新券収納庫が鉛直方向に直列状に配置されており、
これら新券収納庫との間で紙幣を出し入れする新券搬送経路が前記転換搬送経路に接続されていて、
前記識別部は、新券紙幣の劣化度合を評価する評価手段を備え、
前記新券収納庫に収納されるべき新券紙幣または前記新券収納庫から繰り出される新券紙幣を、前記評価手段が所定の劣化度合いを超えた紙幣と評価した場合に前記紙幣庫内へ搬送する制御手段を備えたことを特徴とする紙幣入出金機。
【請求項２】
取引口と、
該取引口から後方に延出するとともに識別部が設けられる上側搬送経路と、
該上側搬送経路の前記取引口とは反対側の端部から下方かつ前方に折り返す転換搬送経路と、
該転換搬送経路の前記上側搬送経路とは反対側の端部から前方に延出する下側搬送経路と、
該下側搬送経路の前記転換搬送経路とは反対側の端部と前記上側搬送経路の前記取引口および前記識別部の間とを接続する接続搬送経路と、
前記下側搬送経路の下方に、該下側搬送経路に沿う水平方向に並設されて該下側搬送経路との間で紙幣を出し入れする複数の紙幣庫と、を有する紙幣入出金機であって、
前記複数の紙幣庫の前方に、新券紙幣専用の複数の新券収納庫が鉛直方向に直列状に配置されており、
これら新券収納庫との間で紙幣を出し入れする新券搬送経路が前記接続搬送経路に接続されていることを特徴とする紙幣入出金機。
【請求項３】
前記識別部は、新券紙幣の劣化度合を評価する評価手段を備え、
前記新券収納庫に収納されるべき新券紙幣または前記新券収納庫から繰り出される新券紙幣を、前記評価手段が所定の劣化度合いを超えた紙幣と評価した場合に前記紙幣庫内へ搬送する制御手段を備えたことを特徴とする請求項２記載の紙幣入出金機。
【請求項４】
前記複数の新券収納庫と、五千円券専用収納庫および二千円券専用収納庫のうちの少なくとも何れか一方の専用収納庫とが、鉛直方向に直列状に配置されており、
前記専用収納庫との間で紙幣を出し入れする搬送経路が前記新券搬送経路に接続されていることを特徴とする請求項１乃至３の何れか一項記載の紙幣入出金機。
【発明の詳細な説明】
【技術分野】
【０００１】
本発明は、紙幣を入出金可能な紙幣入出金機に関する。
【背景技術】
【０００２】
貨幣出納機においては、バラ紙幣入出金部に隣接するように、新券のバラ紙幣を専用で支払う機能を有する新券支払部を配設して、新券の取引を行う技術が知られている（例えば特許文献１参照）。また、自動取引装置においては、同一の機体内に金種別の二つの万円庫および二つの千円庫を備え、これらの収納庫の中で一方の万円庫と一方の千円庫とを新券専用の収納庫として使用することにより、新券が装填されている場合にはその旨の表示を行い、装填されていない場合にはその表示を消去することで、顧客に新券取引の可否を認識させる技術が知られている（例えば特許文献２参照）。
【先行技術文献】
【特許文献】
【０００３】
【特許文献１】特開２００３−１５０７９３号公報
【特許文献２】特開平１１−２７２９２２号公報
【発明の概要】
【発明が解決しようとする課題】
【０００４】
ところで、特許文献１の発明では、新券支払部をバラ紙幣入出金部とは機体を異なる別構成としており、より具体的には機体内の紙幣の取引口や紙幣の搬送路、識別部等も専用で設ける構成であるため、機体全体が大型化してしまうと共に、機体全体のコストも嵩んでしまうという課題が存在する。
【０００５】
一方、特許文献２の発明では、同一の機体内に新券専用の収納庫を備え、さらに紙幣の取引口や紙幣の搬送路、識別部等を新券専用ではなく流通券の取扱いと共用可能な構成であるため、上記課題を解決可能となっている。しかしながら、貨幣出納機において取り扱う貨幣の金種は、上記自動取引装置とは異なって基本的に全金種対象であり、配設する収納庫の個数が上記自動取引装置よりもさらに多いために、同一の機体内であっても特にこれらすべての収納庫の配設位置、すなわちレイアウトに工夫を凝らさないと、やはり機体が大型化してしまうという課題が残っている。
【０００６】
本発明は、機内を効率的にレイアウトすることができる紙幣入出金機の提供を目的とする。
【課題を解決するための手段】
【０００７】
上記目的を達成するために、請求項１に係る発明は、取引口と、該取引口から後方に延出するとともに識別部が設けられる上側搬送経路と、該上側搬送経路の前記取引口とは反対側の端部から下方かつ前方に折り返す転換搬送経路と、該転換搬送経路の前記上側搬送経路とは反対側の端部から前方に延出する下側搬送経路と、該下側搬送経路の前記転換搬送経路とは反対側の端部と前記上側搬送経路の前記取引口および前記識別部の間とを接続する接続搬送経路と、前記下側搬送経路の下方に、該下側搬送経路に沿う水平方向に並設されて該下側搬送経路との間で紙幣を出し入れする複数の紙幣庫と、を有する紙幣入出金機であって、前記複数の紙幣庫の後方に、新券紙幣専用の複数の新券収納庫が鉛直方向に直列状に配置されており、これら新券収納庫との間で紙幣を出し入れする新券搬送経路が前記転換搬送経路に接続されていて、前記識別部は、新券紙幣の劣化度合を評価する評価手段を備え、前記新券収納庫に収納されるべき新券紙幣または前記新券収納庫から繰り出される新券紙幣を、前記評価手段が所定の劣化度合いを超えた紙幣と評価した場合に前記紙幣庫内へ搬送する制御手段を備えたことを特徴とする。
【０００８】
請求項２に係る発明は、取引口と、該取引口から後方に延出するとともに識別部が設けられる上側搬送経路と、該上側搬送経路の前記取引口とは反対側の端部から下方かつ前方に折り返す転換搬送経路と、該転換搬送経路の前記上側搬送経路とは反対側の端部から前方に延出する下側搬送経路と、該下側搬送経路の前記転換搬送経路とは反対側の端部と前記上側搬送経路の前記取引口および前記識別部の間とを接続する接続搬送経路と、前記下側搬送経路の下方に、該下側搬送経路に沿う水平方向に並設されて該下側搬送経路との間で紙幣を出し入れする複数の紙幣庫と、を有する紙幣入出金機であって、前記複数の紙幣庫の前方に、新券紙幣専用の複数の新券収納庫が鉛直方向に直列状に配置されており、これら新券収納庫との間で紙幣を出し入れする新券搬送経路が前記接続搬送経路に接続されていることを特徴とする。
【０００９】
請求項３に係る発明は、請求項２に係る発明において、前記識別部は、新券紙幣の劣化度合を評価する評価手段を備え、前記新券収納庫に収納されるべき新券紙幣または前記新券収納庫から繰り出される新券紙幣を、前記評価手段が所定の劣化度合いを超えた紙幣と評価した場合に前記紙幣庫内へ搬送する制御手段を備えたことを特徴とする。
【００１０】
請求項４に係る発明は、請求項１乃至３の何れか一項に係る発明において、前記複数の新券収納庫と、五千円券専用収納庫および二千円券専用収納庫のうちの少なくとも何れか一方の専用収納庫とが、鉛直方向に直列状に配置されており、前記専用収納庫との間で紙幣を出し入れする搬送経路が前記新券搬送経路に接続されていることを特徴とする。
【発明の効果】
【００１１】
請求項１に係る発明によれば、取引口から後方に延出する上側搬送経路、上側搬送経路から下方かつ前方に折り返す転換搬送経路、および転換搬送経路から前方に延出する下側搬送経路を設け、下側搬送経路の下方に、容量が比較的多く高さが必要な紙幣庫を、下側搬送経路に沿う水平方向に並設する。そして、これら複数の紙幣庫の後方に、容量が比較的少なく高さが低く済む新券紙幣専用の複数の新券収納庫を鉛直方向に直列状に配置する。したがって、同一の筐体内に、複数の紙幣庫とともに複数の新券収納庫を効率的にレイアウトすることができる。
また、新券収納庫に収納されるべき新券紙幣または新券収納庫から繰り出される新券紙幣を、上側搬送経路で搬送し、その際に、上側搬送経路の識別部の評価手段が、その劣化度合を評価し、所定の劣化度合いを超えた紙幣と評価された新券紙幣を制御手段が紙幣庫内へ搬送する。したがって、新券紙幣としての使用に適さない紙幣を流通券紙幣として紙幣庫へ収納し、新券指定がない場合の出金用として有効に使用できる。
【００１２】
請求項２に係る発明によれば、取引口から後方に延出する上側搬送経路、上側搬送経路から下方かつ前方に折り返す転換搬送経路、および転換搬送経路から前方に延出する下側搬送経路を設け、下側搬送経路の下方に、容量が比較的多く高さが必要な紙幣庫を、下側搬送経路に沿う水平方向に並設する。そして、これら複数の紙幣庫の前方に、容量が比較的少なく高さが低く済む新券紙幣専用の複数の新券収納庫を鉛直方向に直列状に配置する。したがって、同一の筐体内に、複数の紙幣庫とともに複数の新券収納庫を効率的にレイアウトすることができる。
【００１３】
請求項３に係る発明によれば、新券収納庫に収納されるべき新券紙幣または新券収納庫から繰り出される新券紙幣を、上側搬送経路で搬送し、その際に、上側搬送経路の識別部の評価手段が、その劣化度合を評価し、所定の劣化度合いを超えた紙幣と評価された新券紙幣を制御手段が紙幣庫内へ搬送する。したがって、新券紙幣としての使用に適さない紙幣を流通券紙幣として紙幣庫へ収納し、新券指定がない場合の出金用として有効に使用できる。
【００１４】
請求項４に係る発明によれば、容量が比較的少なく高さが低く済む五千円券専用収納庫および二千円券専用収納庫のうちの少なくとも何れか一方の専用収納庫を、複数の新券収納庫とともに鉛直方向に直列状に配置するため、少なくとも何れか一方の専用収納庫の分は、下側搬送経路の下方で下側搬送経路に沿って並設される紙幣庫の数を減らすことができる。したがって、さらに効率的なレイアウトにできる。
【図面の簡単な説明】
【００１５】
【図１】本発明の第１実施形態に係る紙幣入出金機を概略的に示す側断面図である。
【図２】第１実施形態に係る紙幣入出金機の側断面図であって、入金処理ルートを示すものである。
【図３】第１実施形態に係る紙幣入出金機の側断面図であって、収納処理ルートを示すものである。
【図４】第１実施形態に係る紙幣入出金機の側断面図であって、返却処理ルートを示すものである。
【図５】第１実施形態に係る紙幣入出金機の側断面図であって、バラ出金処理ルートを示すものである。
【図６】第１実施形態に係る紙幣入出金機の側断面図であって、束出金処理ルートを示すものである。
【図７】第１実施形態に係る紙幣入出金機の側断面図であって、自己精査処理の往路ルートを示すものである。
【図８】第１実施形態に係る紙幣入出金機の側断面図であって、自己精査処理の復路ルートを示すものである。
【図９】第１実施形態に係る紙幣入出金機の側断面図であって、ローカル整理処理の往路ルートを示すものである。
【図１０】第１実施形態に係る紙幣入出金機の側断面図であって、ローカル整理処理の復路ルートを示すものである。
【図１１】第１実施形態に係る紙幣入出金機の側断面図であって、新券指定のバラ紙幣出金処理ルートを示すものである。
【図１２】第１実施形態に係る紙幣入出金機の側断面図であって、新券補充処理ルートを示すものである。
【図１３】第１実施形態に係る紙幣入出金機の側断面図であって、新券紙幣の自己精査処理の往路ルートを示すものである。
【図１４】第１実施形態に係る紙幣入出金機の側断面図であって、新券紙幣の自己精査処理の復路ルートを示すものである。
【図１５】本発明の第２実施形態に係る紙幣入出金機を概略的に示す側断面図である。
【図１６】第２実施形態に係る紙幣入出金機の側断面図であって、入金処理ルートを示すものである。
【図１７】第２実施形態に係る紙幣入出金機の側断面図であって、収納処理ルートを示すものである。
【図１８】第２実施形態に係る紙幣入出金機の側断面図であって、返却処理ルートを示すものである。
【図１９】第２実施形態に係る紙幣入出金機の側断面図であって、バラ出金処理ルートを示すものである。
【図２０】第２実施形態に係る紙幣入出金機の側断面図であって、束出金処理ルートを示すものである。
【図２１】第２実施形態に係る紙幣入出金機の側断面図であって、自己精査処理の往路ルートを示すものである。
【図２２】第２実施形態に係る紙幣入出金機の側断面図であって、自己精査処理の復路ルートを示すものである。
【図２３】第２実施形態に係る紙幣入出金機の側断面図であって、ローカル整理処理の往路ルートを示すものである。
【図２４】第２実施形態に係る紙幣入出金機の側断面図であって、ローカル整理処理の復路ルートを示すものである。
【図２５】第２実施形態に係る紙幣入出金機の側断面図であって、新券指定のバラ紙幣出金処理ルートを示すものである。
【図２６】第２実施形態に係る紙幣入出金機の側断面図であって、新券補充処理ルートを示すものである。
【図２７】第２実施形態に係る紙幣入出金機の側断面図であって、新券紙幣の自己精査処理の往路ルートを示すものである。
【図２８】第２実施形態に係る紙幣入出金機の側断面図であって、新券紙幣の自己精査処理の復路ルートを示すものである。
【図２９】第２実施形態に係る紙幣入出金機の側断面図であって、新券紙幣の自己精査処理の変形例の往路ルートを示すものである。
【図３０】第２実施形態に係る紙幣入出金機の側断面図であって、新券紙幣の自己精査処理の変形例の復路ルートを示すものである。
【発明を実施するための形態】
【００１６】
本発明の第１実施形態に係る紙幣入出金機を図１〜図１４を参照して以下に説明する。この紙幣入出金機１１は、紙幣および硬貨等を取り扱う出納機を構成するものである。出納機は、銀行等の金融機関の店舗に設置されて店舗全体の貨幣処理を管理するものであり、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行うものである。以下の説明における前後は、操作者側を前、操作者とは反対側を後とする。
【００１７】
紙幣入出金機１１は、図１に示すように、その前面側の上部に、機外からバラ紙幣が投入されるとともに機内から出金用のバラ紙幣が繰り出される取引口２１が設けられている。取引口２１は、その底部を構成する載置板２２が後下がりに傾斜した姿勢で昇降可能に設けられており、その奥側の支承面２３が載置板２２と直交するように後上がりに傾斜して設けられている。取引口２１には、紙幣が長さ方向を左右方向に沿わせた姿勢で載置板２２上に集積されることになり、紙幣は載置板２２の傾斜により後端縁が支承面２３に当接する。取引口２１の上部の後側には、載置板２２上に集積されたバラ紙幣を上端のものから一枚ずつ分離して所定の間隔をあけて機内へ繰り出すとともに機内からの紙幣を取引口２１に繰り出す図示略の繰出部が設けられている。なお、紙幣入出金機１１内では、紙幣が、常に長さ方向を左右方向に沿わせた姿勢で搬送されることになる。
【００１８】
取引口２１の下側かつ紙幣入出金機１１の前面位置に、受け付け不可と判定された入金リジェクト紙幣が機内から繰り出される入金リジェクト部２６が設けられている。取引口２１および入金リジェクト部２６の後側には、出金不可と判定された出金リジェクト紙幣を収納する出金リジェクト部２７が設けられており、出金リジェクト部２７の後方の下側には紙幣を識別する識別部２８が設けられている。
【００１９】
また、出金リジェクト部２７の後方の上側には紙幣を整列させながら水平姿勢で鉛直方向に所定の結束枚数集積させる整列部３０が設けられており、この整列部３０の後方には、整列部３０から水平状態のまま後方に送り出された集積紙幣を載置させて鉛直上方に上昇搬送する移送部３３が設けられている。
【００２０】
整列部３０の上方には、移送部３３で上昇搬送され上部位置から水平状態のまま前方に送り出された集積紙幣を結束テープで結束して小束紙幣とする結束部３１が設けられている。この結束部３１は、移送部３３から前方に送り出された集積紙幣を上下から挟持しつつ、結束テープを周囲に巻き回して接着・切断することで小束紙幣を作成する。
【００２１】
結束部３１の前方には、結束部３１で上記のように結束された後、水平状態のまま前方に送り出された小束紙幣を鉛直状に姿勢変更し水平方向に複数束集積して、機外に取り出し可能とする束出金部３２が設けられている。
【００２２】
また、紙幣入出金機１１の下部には、奥側（後側）から順に、収納紙幣庫３４、収納紙幣庫３５、収納紙幣庫３６、収納紙幣庫３７および一時貯留紙幣庫３８が設けられている。収納紙幣庫３４〜３７は、入金確定後の流通券紙幣を主体としたバラ紙幣を上下に集積させて収納するものであり、収納紙幣庫３４は、金種混合のバラ紙幣を、収納紙幣庫３５は所定の単一金種（具体的には千円券）のバラ紙幣を、収納紙幣庫３６は所定の単一金種（具体的には五千円券）のバラ紙幣を、収納紙幣庫３７は所定の単一金種（具体的には万円券）のバラ紙幣を、それぞれ繰出可能に収納する。一時貯留紙幣庫３８は、入金確定前のバラ紙幣を金種混合で上下に集積させた状態で貯留する。なお、収納紙幣庫３４は、単一金種用の収納紙幣庫３５〜３７では収納しきれないオーバーフロー紙幣や、単一金種用の収納紙幣庫を持たない流通量の少ない所定の金種（具体的には二千円券）のバラ紙幣を収納する。なお、ここでは、各処理時に新券紙幣として指定され且つ識別部２８で新券紙幣として識別されたものを新券紙幣と呼び、それ以外を流通券紙幣と呼ぶ。
【００２３】
これら複数の収納紙幣庫３４〜３７および一時貯留紙幣庫３８は、高さを含む大きさが同じであって容量も同じであり、互いに上下左右の位置を合わせて前後方向に水平直線状に並設されている。
【００２４】
また、紙幣入出金機１１の下部の後部には、上側から順に、新券収納庫４１、新券収納庫４２、新券収納庫４３および新券収納庫４４が設けられている。これら新券収納庫４１〜４４は、それぞれが所定の単一金種の新券のバラ紙幣を上下に集積させた状態で収納するものであり、具体的に、新券収納庫４１は万円券の新券紙幣を、新券収納庫４２は五千円券の新券紙幣を、新券収納庫４３は二千円券の新券紙幣を、新券収納庫４４は千円券の新券紙幣を、それぞれ繰出可能に収納する。
【００２５】
これら複数の新券収納庫４１〜４４は、高さを含む大きさが同じであって容量も同じであり、互いに前後左右の位置を合わせて上下方向（鉛直方向）に直線状に並設されている。つまり、複数の収納紙幣庫３４〜３７の一時貯留紙幣庫３８とは反対側に、新券紙幣専用の複数の新券収納庫４１〜４４が鉛直方向に直列状に配置されている。複数の新券収納庫４１〜４４は、それぞれの容量が、収納紙幣庫３４〜３７および一時貯留紙幣庫３８のそれぞれの容量よりも少なくなっており、それぞれの高さが、収納紙幣庫３４〜３７および一時貯留紙幣庫３８のそれぞれの高さの１／２よりも低くなっている。上下方向において、新券収納庫４１の上端から新券収納庫４４の下端までの範囲は、識別部２８の上端から収納紙幣庫３４〜３７および一時貯留紙幣庫３８の下端までの範囲内に位置しており、下側二つの新券収納庫４３，４４は、それぞれの全体範囲が収納紙幣庫３４〜３７および一時貯留紙幣庫３８の範囲内に位置している。さらに、下から三つ目の新券収納庫４２は、その下部所定範囲が収納紙幣庫３４〜３７および一時貯留紙幣庫３８の範囲内に位置しており、最も上側の新券収納庫４１は、その上部所定範囲が識別部２８の範囲内に位置している。
【００２６】
収納紙幣庫３４〜３７、一時貯留紙幣庫３８および新券収納庫４１〜４４のそれぞれの上部には、その内部に紙幣を繰り出すとともに内部の紙幣を上端のものから一枚ずつ分離して繰り出す図示略の繰出部が設けられている。
【００２７】
紙幣入出金機１１の内部には、紙幣を搬送する紙幣搬送路５１が各部を適宜繋ぐように設けられている。紙幣搬送路５１は、取引口２１から後上がりに延出した後、後下がりに延出し、さらに鉛直下方に延出し、その後、前側に一端延出した後、下側にて後側に折り返し、後方に延出し、途中上側に凸状に屈曲して識別部２８を通って後方に若干延出する上側搬送経路５１Ａと、上側搬送経路５１Ａの取引口２１とは反対側に連続して後方に若干延出し下側に若干延出した後に前方に若干延出する転換搬送経路５１Ｂと、転換搬送経路５１Ｂの上側搬送経路５１Ａとは反対側に連続して前方に延出する下側搬送経路５１Ｃとを有している。これら上側搬送経路５１Ａ、転換搬送経路５１Ｂおよび下側搬送経路５１Ｃは、いずれも紙幣を正逆両方向に搬送可能となっている。つまり、紙幣搬送路５１は、取引口２１から全体的に後方に延出するとともに識別部２８が設けられる正逆搬送可能な上側搬送経路５１Ａと、上側搬送経路５１Ａの取引口２１とは反対側から下方かつ前方に折り返す正逆搬送可能な転換搬送経路５１Ｂと、転換搬送経路５１Ｂの上側搬送経路５１Ａとは反対側から前方に延出する正逆搬送可能な下側搬送経路５１Ｃとを有している。
【００２８】
また、紙幣搬送路５１は、下側搬送経路５１Ｃの途中から分岐し下方に延出したのち後方に延出して収納紙幣庫３４に繋がる搬送経路５１Ｄと、下側搬送経路５１Ｃの搬送経路５１Ｄよりも転換搬送経路５１Ｂとは反対側から分岐し下方に延出したのち後方に延出して収納紙幣庫３５に繋がる搬送経路５１Ｅと、下側搬送経路５１Ｃの搬送経路５１Ｅよりも転換搬送経路５１Ｂとは反対側から分岐して下方に延出したのち後方に延出して収納紙幣庫３６に繋がる搬送経路５１Ｆと、下側搬送経路５１Ｃの搬送経路５１Ｆよりも転換搬送経路５１Ｂとは反対側から分岐し下方に延出したのち後方に延出して収納紙幣庫３７に繋がる搬送経路５１Ｇと、下側搬送経路５１Ｃの転換搬送経路５１Ｂとは反対側の端部から下方に延出したのち後方に延出して一時貯留紙幣庫３８に繋がる搬送経路５１Ｈとを有している。
【００２９】
以上の結果、下側搬送経路５１Ｃの下方に、下側搬送経路５１Ｃに沿う水平方向に並設されてこの下側搬送経路５１Ｃとの間で紙幣を出し入れする上記した複数の紙幣庫３４〜３８が設けられている。これら紙幣庫３４〜３８は、前後左右の位置を下側搬送経路５１Ｃと合わせている。より具体的に、一時貯留紙幣庫３８は、下側搬送経路５１Ｃの前部の下方に設けられ搬送経路５１Ｈを介して下側搬送経路５１Ｃとの間で紙幣を出し入れすることになり、下側搬送経路５１Ｃの下方かつ一時貯留紙幣庫３８の後方に、下側搬送経路５１Ｃに沿う水平方向に並設されて下側搬送経路５１Ｃとの間で紙幣を出し入れする複数の収納紙幣庫３４〜３７が設けられている。
【００３０】
また、紙幣搬送路５１は、下側搬送経路５１Ｃの転換搬送経路５１Ｂとは反対端から上方に延出したのち後方に延出して、上側搬送経路５１Ａの取引口２１と識別部２８との間に繋がる接続搬送経路５１Ｉを有している。言い換えれば、下側搬送経路５１Ｃの転換搬送経路５１Ｂとは反対側と上側搬送経路５１Ａの取引口２１および識別部２８の間とを接続搬送経路５１Ｉが接続している。加えて、紙幣搬送路５１は、下側搬送経路５１Ｃの搬送経路５１Ｇと搬送経路５１Ｈとの間から分岐して上方に延出したのち後方に延出しつつ接続搬送経路５１Ｉに合流する搬送経路５１Ｊを有しており、上記した複数の収納紙幣庫３４〜３７は、下側搬送経路５１Ｃにおける搬送経路５１Ｊと転換搬送経路５１Ｂとの間で紙幣を出し入れする。
【００３１】
また、紙幣搬送路５１は、接続搬送経路５１Ｉにおける搬送経路５１Ｊの接続位置と上側搬送経路５１Ａへの接続位置との間位置から分岐して入金リジェクト部２６に繋がる搬送経路５１Ｋと、上側搬送経路５１Ａにおける接続搬送経路５１Ｉの接続位置と取引口２１との間位置から分岐し前方に延出して搬送経路５１Ｋの途中位置に繋がる搬送経路５１Ｌと、搬送経路５１Ｋにおける搬送経路５１Ｌの接続位置と入金リジェクト部２６との間位置から上方に分岐し後上がりに延出して出金リジェクト部２７に繋がる搬送経路５１Ｍとを有している。
【００３２】
また、紙幣搬送路５１は、上側搬送経路５１Ａにおける取引口２１と搬送経路５１Ｌの分岐位置との間位置と、接続搬送経路５１Ｉの接続位置と識別部２８との間位置とを繋ぐ搬送経路５１Ｎと、上側搬送経路５１Ａにおける搬送経路５１Ｎの取引口２１側の接続位置と取引口２１との間位置から後方に分岐して整列部３０に繋がる搬送経路５１Ｐとを有している。搬送経路５１Ｎには、紙幣の表裏を反転させる表裏反転部５３が設けられている。搬送経路５１Ｄ〜５１Ｈおよび接続搬送経路５１Ｉは、上記した上側搬送経路５１Ａ、転換搬送経路５１Ｂおよび下側搬送経路５１Ｃと同様、正逆両方向に紙幣を搬送可能となっており、他方で搬送経路５１Ｊおよび搬送経路５１Ｋ〜５１Ｐは、一方向にのみ紙幣を搬送可能となっている。
【００３３】
ここで、接続搬送経路５１Ｉと、上側搬送経路５１Ａの接続搬送経路５１Ｉと転換搬送経路５１Ｂとの間部分と、転換搬送経路５１Ｂと、下側搬送経路５１Ｃとが、前後方向に長く上下方向に潰れた扁平な環状をなす環状搬送経路５２を構成している。この環状搬送経路５２は、紙幣を正逆搬送可能となっている。そして、紙幣庫３４〜３８の直上方全域にわたって環状搬送経路５２が配置されており、新券収納庫４１は、この環状搬送経路５２の後方にありこの環状搬送経路５２と上下方向の位置を重ね合わせている。環状搬送経路５２には、その上側搬送経路５１Ａで構成される経路構成部５１Ａａに識別部２８が設けられている。また、環状搬送経路５２には、取引口２１に繋がる上側搬送経路５１Ａの経路構成部５１Ａｂとの接続部が設けられている。加えて、環状搬送経路５２には、その下側搬送経路５１Ｃに、紙幣庫３４〜３８に繋がる搬送経路５１Ｄ〜５１Ｈの接続部が設けられている。
【００３４】
また、紙幣搬送路５１は、転換搬送経路５１Ｂの上部の延長方向後方に延出して最も上側の新券収納庫４１と転換搬送経路５１Ｂとを繋ぐ直線状の新券搬送経路５１Ｑと、転換搬送経路５１Ｂの後部の延長下方に延出したのち後方に延出して上から二番目の新券収納庫４２と転換搬送経路５１Ｂとを繋ぐＬ字状の新券搬送経路５１Ｒと、新券搬送経路５１Ｒの前部の延長方向下方に延出したのち後方に延出して上から三番目の新券収納庫４３と新券搬送経路５１Ｒとを繋ぐＬ字状の新券搬送経路５１Ｓと、新券搬送経路５１Ｓの前部の延長方向下方に延出したのち後方に延出して最も下側の新券収納庫４４と新券搬送経路５１Ｓとを繋ぐＬ字状の新券搬送経路５１Ｔとを有している。これら新券搬送経路５１Ｑ〜５１Ｔは、正逆両方向に紙幣を搬送可能となっている。つまり、新券収納庫４１〜４４との間で紙幣を出し入れする正逆搬送可能な新券搬送経路５１Ｑ〜５１Ｔのうちの新券搬送経路５１Ｑ，５１Ｒが転換搬送経路５１Ｂに接続されている。言い換えれば、新券搬送経路５１Ｑ，５１Ｒの環状搬送経路５２への接続部が転換搬送経路５１Ｂに設けられている。
【００３５】
紙幣入出金機１１は制御部（制御手段）５５によって制御される。また、紙幣入出金機１１は、その筐体６０が、筐体本体６１と、筐体本体６１に対し前方に引き出し可能に支持される上部引出ユニット６２と、筐体本体６１に対し前方に引き出し可能に支持される下部引出ユニット６３と、筐体本体６１に対し後方に引き出し可能に支持される後部引出ユニット６４とを有している。下部引出ユニット６３は、筐体本体６１に対し前方に引き出し可能に支持される下部の引出体６５と、引出体６５の上部に揺動開閉可能に設けられる開閉体６６とを有している。
【００３６】
そして、結束部３１、束出金部３２、移送部３３および制御部５５は、筐体本体６１に設けられている。また、取引口２１、入金リジェクト部２６、出金リジェクト部２７、識別部２８、整列部３０および表裏反転部５３は、上部引出ユニット６２に設けられており、これにより、上側搬送経路５１Ａおよび搬送経路５１Ｋ〜５１Ｐの全部と、接続搬送経路５１Ｉおよび搬送経路５１Ｊの上部とが上部引出ユニット６２に設けられている。紙幣庫３４〜３８は下部引出ユニット６３の引出体６５に設けられており、これにより、搬送経路５１Ｄ〜５１Ｈの下部が引出体６５に設けられている。下側搬送経路５１Ｃおよび搬送経路５１Ｄ〜５１Ｈの上部が下部引出ユニット６３の開閉体６６に設けられている。新券収納庫４１〜４４は、後部引出ユニット６４に設けられており、転換搬送経路５１Ｂおよび続搬送経路５１Ｑ〜５１Ｔも全部が後部引出ユニット６４に設けられている。
【００３７】
以上の紙幣入出金機１１においては、一つの筐体６０に設けられた上部引出ユニット６２、下部引出ユニット６３および後部引出ユニット６４のうち、上部引出ユニット６２および下部引出ユニット６３が、少なくとも流通券紙幣を取り扱うものであり、後部引出ユニット６４は新券紙幣専用となっている。また、少なくとも、入出金を行う取引口２１、識別を行う識別部２８および紙幣を搬送する上側搬送経路５１Ａが、流通券紙幣および新券紙幣で共用となっている。
【００３８】
次に、第１実施形態に係る紙幣入出金機１１の各処理について説明する。
【００３９】
「入金処理」
図２は、機外から取引口２１に投入されたバラ紙幣を、制御部５５の制御により搬送しつつ識別計数する入金処理のルートを示している。つまり、取引口２１の載置板２２上にバラ紙幣が載置されて、図示略の操作部に入金処理を行う旨の入力操作がなされると、取引口２１の図示略の繰出部が、取引口２１の載置板２２上の紙幣を上端のものから順に一枚ずつ分離して所定の間隔をあけて繰り出すことになり、繰り出した紙幣を、上側搬送経路５１Ａの経路構成部５１Ａｂ，５１Ａａで搬送することになる。経路構成部５１Ａａでの搬送中に識別部２８が紙幣を識別計数することになり、識別部２８で受け入れ可能と判定した紙幣（取り扱い可能な金種の紙幣）を、図２に実線のルートＲ１で示すように、転換搬送経路５１Ｂ、下側搬送経路５１Ｃおよび搬送経路５１Ｈで一時貯留紙幣庫３８に搬送する。他方、識別部２８で受け入れ不可と判定した紙幣を、図２に実線から破線のルートＲ２で示すように、下側搬送経路５１Ｃから搬送経路５１Ｊ，５１Ｉ，５１Ｋで入金リジェクト部２６に搬送する。これにより、受け入れ可能な紙幣を一時貯留紙幣庫３８に一時貯留し、受け入れ不可な紙幣を入金リジェクト部２６に放出する。
【００４０】
「収納処理」
図３は、入金処理にて一時貯留紙幣庫３８に一時貯留した紙幣を、制御部５５の制御により、図示略の操作部への承認操作が入力されたことを条件に確定して収納紙幣庫３４〜３７の対応するものに収納する収納処理のルートを示している。つまり、収納処理では、一時貯留紙幣庫３８の紙幣を上端のものから図示略の繰出部が繰り出すことになり、繰り出した紙幣を、図３に実線のルートＲ３で示すように、搬送経路５１Ｈ、接続搬送経路５１Ｉ、上側搬送経路５１Ａの経路構成部５１Ａａで識別部２８に搬送し、識別部２８の識別結果に基づいて、下側搬送経路５１Ｃおよび搬送経路５１Ｄ〜５１Ｇの対応するものによって、収納紙幣庫３４〜３７の対応するものに搬送し収納する。なお、収納処理にて紙幣は、そのほとんどが金種別の収納紙幣庫３５〜３７の対応する金種のものに収納されることになる。つまり、収納紙幣庫３５に千円券が、収納紙幣庫３６に五千円券が、収納紙幣庫３７に万円券が、それぞれ収納されることになる。他方、収納紙幣庫３５〜３７の対応する金種のものが満杯である場合と、対応する金種の収納紙幣庫がない場合（紙幣が二千円券である場合）とについては、紙幣を金種混合の収納紙幣庫３４に収納する。また、収納処理にて識別部２８で重送等と識別した紙幣については、図３に実線から破線のルートＲ４で示すように、下側搬送経路５１Ｃ、搬送経路５１Ｊ，５１Ｉ，５１Ｋ，５１Ｍによって出金リジェクト部２７に搬送し収納する。
【００４１】
「返却処理」
図４は、入金処理にて一時貯留紙幣庫３８に一時貯留した紙幣を、制御部５５の制御により、図示略の操作部へのキャンセル操作が入力されたことを条件に取引口２１に繰り出す返却処理のルートＲ５を示している。つまり、返却処理では、一時貯留紙幣庫３８の紙幣を上端のものから一時貯留紙幣庫３８の図示略の繰出部が繰り出すことになり、繰り出した紙幣を、搬送経路５１Ｈ、下側搬送経路５１Ｃ、転換搬送経路５１Ｂおよび上側搬送経路５１Ａによって取引口２１に搬送する。これにより、取引口２１に紙幣を返却する。
【００４２】
「通常のバラ紙幣出金処理」
図５は、制御部５５の制御により、図示略の操作部へ入力された通常のバラ出金操作に基づいて金種別の収納紙幣庫３５、収納紙幣庫３６および収納紙幣庫３７の指定された金種のものから紙幣を出金する通常のバラ紙幣出金処理のルートを示している。つまり、通常のバラ出金処理では、図５に実線のルートＲ６で示すように、収納紙幣庫３５〜３７の指定された金種のものに収納されている紙幣を上端のものから図示略の繰出部が繰り出すことになり、繰り出した紙幣を、搬送経路５１Ｅ〜５１Ｇの対応するものと、下側搬送経路５１Ｃと転換搬送経路５１Ｂと上側搬送経路５１Ａの経路構成部５１Ａａとで識別部２８に搬送し、識別部２８の識別結果に基づいて、表裏反転が必要でないものは上側搬送経路５１Ａでそのまま取引口２１に、表裏反転が必要なものは搬送経路５１Ｎを介して表裏反転部５３で表裏反転させた後、上側搬送経路５１Ａで取引口２１に、それぞれ搬送する。これにより、出金操作に基づくバラ紙幣を取引口２１に繰り出す。なお、出金処理にて識別部２８で重送等と識別した紙幣については、図５に実線から破線のルートＲ７で示すように、上側搬送経路５１Ａ、搬送経路５１Ｌ，５１Ｋ，５１Ｍによって出金リジェクト部２７に搬送し収納する。
【００４３】
「束出金処理」
図６は、制御部５５の制御により、図示略の操作部へ入力された束出金操作に基づいて金種別の収納紙幣庫３５、収納紙幣庫３６および収納紙幣庫３７の指定された金種のものからの紙幣を結束して出金する束出金処理のルートを示している。つまり、束出金処理では、図６に実線のルートＲ８で示すように、収納紙幣庫３４〜３７のうち指定された金種のものに収納されている紙幣を上端のものから図示略の繰出部が繰り出すことになり、繰り出した紙幣を、搬送経路５１Ｄ〜５１Ｇの対応するものと、下側搬送経路５１Ｃと転換搬送経路５１Ｂと上側搬送経路５１Ａの経路構成部５１Ａａとで識別部２８に搬送し、識別部２８の識別結果に基づいて、表裏反転が必要でないものは上側搬送経路５１Ａおよび搬送経路５１Ｐで整列部３０に、表裏反転が必要なものは搬送経路５１Ｎを介して表裏反転部５３で表裏反転させた後、上側搬送経路５１Ａおよび搬送経路５１Ｐで整列部３０に、それぞれ搬送する。これにより、指定された単一金種の紙幣を結束単位枚数だけ整列部３０に繰り出す。そして、整列部３０の集積紙幣を、移送部３３で結束部３１に搬送し、結束部３１で結束を行い、束出金部３２に繰り出す。このような処理を指定された金種毎に指定された束数分行うことになる。なお、束出金処理にて識別部２８で重送等と識別した紙幣については、図６に実線から破線のルートＲ９で示すように、上側搬送経路５１Ａ、搬送経路５１Ｌ，５１Ｋ，５１Ｍによって出金リジェクト部２７に搬送し収納する。
【００４４】
「通常の自己精査処理」
図７は、制御部５５の制御により、図示略の操作部へ入力された通常の自己精査処理操作に基づいて収納紙幣庫３４〜３７の対応するものの紙幣を自己精査する自己精査処理の往路ルートを示している。つまり、自己精査処理では、図７に実線のルートＲ１０で示すように、収納紙幣庫３４〜３７のうちの設定された一つに収納されている紙幣を上端のものから図示略の繰出部が繰り出すことになり、繰り出した紙幣を、搬送経路５１Ｄ〜５１Ｇの対応するものと、下側搬送経路５１Ｃと転換搬送経路５１Ｂと上側搬送経路５１Ａの経路構成部５１Ａａとで識別部２８に搬送し、識別部２８で識別計数しつつ、上側搬送経路５１Ａの経路構成部５１Ａａ、接続搬送経路５１Ｉおよび搬送経路５１Ｈを介して一時貯留紙幣庫３８に搬送する。そして、収納紙幣庫３４〜３７のうちの設定された一つに収納されていた紙幣をすべて繰り出す。なお、この搬送中、識別部２８で重送等と識別した紙幣については、図７に実線から破線のルートＲ１１で示すように、上側搬送経路５１Ａ、搬送経路５１Ｌ，５１Ｋ，５１Ｍによって出金リジェクト部２７に搬送し収納する。
【００４５】
図８は、上記した自己精査処理の復路ルートを示している。上記したように一時貯留紙幣庫３８に一旦移した紙幣を、図８に実線のルートＲ１２で示すように、搬送経路５１Ｈ、接続搬送経路５１Ｉ、上側搬送経路５１Ａの経路構成部５１Ａａで識別部２８に搬送し、識別部２８で識別計数しつつ、識別部２８の識別結果に基づいて、転換搬送経路５１Ｂから、下側搬送経路５１Ｃおよび搬送経路５１Ｄ〜５１Ｇの対応するものを介して、収納紙幣庫３４〜３７の対応する金種のものに収納する。なお、自己精査処理の復路ルートにて紙幣は、ほとんどが金種別の収納紙幣庫３５〜３７の対応する金種のものに収納されることになるが、収納紙幣庫３５〜３７の対応する金種のものが満杯である場合と、対応する金種の収納紙幣庫がない場合（紙幣が二千円券である場合）とについては、金種混合の収納紙幣庫３４に収納される。また、搬送中、識別部２８で重送等と識別した紙幣については、図８に実線から破線のルートＲ１３で示すように、下側搬送経路５１Ｃ、搬送経路５１Ｊ，５１Ｉ，５１Ｋ，５１Ｍによって出金リジェクト部２７に搬送し収納する。
【００４６】
以上により、識別部２８の計数結果と、収納紙幣庫３４〜３７の自己精査処理を行ったものに収納された紙幣の枚数とが一致することになり、このような自己精査処理を、収納紙幣庫３４〜３７のうちの設定されたものについて、それぞれ個別に行うことになる。なお、収納紙幣庫３４〜３７にそれぞれ収納された紙幣の合計枚数が一時貯留紙幣庫３８の最大収納枚数以下であった場合には、上記の自己精査処理をそれぞれ個別に行う必要はなく、すべて一括して行うこともできる。
【００４７】
「ローカル整理処理」
図９は、制御部５５の制御により、機外から取引口２１に投入されたバラ紙幣を搬送しつつ識別計数するローカル整理処理の往路ルートを示している。つまり、ローカル整理処理では、取引口２１の載置板２２上にバラ紙幣が載置されて、図示略の操作部にローカル整理処理を行う旨の入力操作が金種指定とともになされると、取引口２１の図示略の繰出部が取引口２１の載置板２２上の紙幣を上端のものから順に一枚ずつ分離して所定の間隔をあけて繰り出すことになり、繰り出した紙幣を、図９に実線のルートＲ１４で示すように、上側搬送経路５１Ａで搬送することになる。上側搬送経路５１Ａの経路構成部５１Ａａでの搬送中に識別部２８が紙幣を識別計数することになり、識別部２８で指定金種と判定した紙幣を、転換搬送経路５１Ｂ、下側搬送経路５１Ｃおよび搬送経路５１Ｈで一時貯留紙幣庫３８に搬送する一方、識別部２８で指定金種以外と判定した紙幣を、図９に実線から破線のルートＲ１５で示すように、下側搬送経路５１Ｃから搬送経路５１Ｊ，５１Ｉ、搬送経路５１Ｋで入金リジェクト部２６に搬送する。これにより、指定金種の紙幣を一時貯留紙幣庫３８に一時貯留し、指定金種以外の紙幣を入金リジェクト部２６に放出する。つまり、ローカル整理処理の往路ルートは入金処理のルートと同じとなっている。
【００４８】
図１０は、ローカル整理処理の復路ルートを示している。上記したように一時貯留紙幣庫３８に一旦収納した紙幣を、上端のものから図示略の繰出部が繰り出すことになり、繰り出した紙幣を、図１０に実線のルートＲ１６で示すように、搬送経路５１Ｈ、下側搬送経路５１Ｃ、転換搬送経路５１Ｂおよび上側搬送経路５１Ａの経路構成部５１Ａａで識別部２８に搬送し、識別部２８の識別結果に基づいて、表裏反転が必要でないものは上側搬送経路５１Ａおよび搬送経路５１Ｐで整列部３０に、表裏反転が必要なものは搬送経路５１Ｎを介して表裏反転部５３で表裏反転させた後、上側搬送経路５１Ａおよび搬送経路５１Ｐで整列部３０に、それぞれ搬送する。このようにして、指定された単一金種の紙幣を結束単位枚数だけ整列部３０に繰り出す。そして、整列部３０の集積紙幣を、移送部３３で結束部３１に搬送し、結束部３１で結束を行い、束出金部３２に繰り出す。このような処理を結束単位枚数が整列部３０に集積される限り繰り返す。なお、結束単位枚数に満たない、端数紙幣が整列部３０に集積された場合にも、これを結束し端数紙幣であることを示す識別をつけて束出金部３２に繰り出す。なお、ローカル整理処理にて識別部２８で重送等と識別した紙幣については、図１０に実線から破線のルートＲ１７で示すように、上側搬送経路５１Ａ、搬送経路５１Ｌ，５１Ｋによって入金リジェクト部２６に搬送し放出する。
【００４９】
「新券指定のバラ紙幣出金処理」
図１１は、制御部５５の制御により、図示略の操作部へ入力された新券指定のバラ出金操作に基づいて新券収納庫４１、新券収納庫４２、新券収納庫４３および新券収納庫４４の指定された金種のものから新券紙幣を出金する新券指定のバラ紙幣出金処理のルートを示している。つまり、新券指定のバラ出金処理では、図１１に実線のルートＲ１８で示すように、新券収納庫４１〜４４の指定された金種のものに収納されている新券紙幣を上端のものから図示略の繰出部が繰り出すことになり、繰り出した紙幣を、新券搬送経路５１Ｑ〜５１Ｔの対応するものと、転換搬送経路５１Ｂと上側搬送経路５１Ａの経路構成部５１Ａａとで識別部２８に搬送し、識別部２８の識別結果に基づいて、表裏反転が必要でないものは上側搬送経路５１Ａでそのまま取引口２１に、表裏反転が必要なものは搬送経路５１Ｎを介して表裏反転部５３で表裏反転させた後、上側搬送経路５１Ａで取引口２１に、それぞれ搬送する。これにより、出金操作に基づくバラの新券紙幣を取引口２１に繰り出す。なお、識別部２８で重送等と識別した新券紙幣については、図１１に実線から破線のルートＲ１９で示すように、上側搬送経路５１Ａ、搬送経路５１Ｌ，５１Ｋ，５１Ｍによって出金リジェクト部２７に搬送し収納する。
【００５０】
「新券補充処理」
図１２は、制御部５５の制御により、機外から取引口２１に投入されたバラの新券紙幣を搬送しつつ識別計数して新券収納庫４１、新券収納庫４２、新券収納庫４３および新券収納庫４４の対応するものに補充する新券補充処理のルートを示している。つまり、取引口２１の載置板２２上にバラの新券紙幣が載置されて、図示略の操作部に新券補充処理を行う旨の入力操作がなされると、図示略の繰出部が取引口２１の載置板２２上の紙幣を上端のものから順に一枚ずつ分離して所定の間隔をあけて繰り出すことになり、繰り出した新券紙幣を、上側搬送経路５１Ａの経路構成部５１Ａｂ，５１Ａａで搬送することになる。経路構成部５１Ａａでの搬送中に識別部２８が新券紙幣を識別計数することになる。識別部２８は、新券紙幣の劣化度合を光の反射等に基づいて評価する評価手段を備えており、制御部５５は、識別部２８が受け入れ可能かつ所定の劣化度合いを超えていない紙幣と評価した紙幣を、図１２に実線のルートＲ２０で示すように、転換搬送経路５１Ｂから、新券搬送経路５１Ｑ〜５１Ｔの対応するものを介して、新券収納庫４１、新券収納庫４２、新券収納庫４３および新券収納庫４４の対応する金種のものへ収納する。他方、識別部２８が受け入れ可能かつ所定の劣化度合いを超えている紙幣と評価した紙幣を、図１２に実線から一点鎖線のルートＲ２１で示すように、転換搬送経路５１Ｂ、下側搬送経路５１Ｃおよび搬送経路５１Ｄ〜５１Ｇの対応するものを介して、収納紙幣庫３４〜３７の対応するものへ収納する。つまり、新券収納庫４１〜４４に収納されるべき新券紙幣を、評価手段が所定の劣化度合いを超えた紙幣と評価した場合に、この紙幣を収納紙幣庫３４〜３７内へ搬送する。この場合も、大抵は収納紙幣庫３５〜３７へ紙幣を収納し、収納紙幣庫３５〜３７が満杯である場合と、収納紙幣庫３５〜３７に対応しない紙幣（二千円券）とについては、金種混合の収納紙幣庫３４に収納する。さらに、識別部２８で受け入れ不可と判定した紙幣は、図１２に実線から一点鎖線、さらに破線のルートＲ２２で示すように、下側搬送経路５１Ｃから搬送経路５１Ｊ，５１Ｉ，５１Ｋで入金リジェクト部２６に放出する。
【００５１】
「新券紙幣の自己精査処理」
図１３は、制御部５５の制御により、図示略の操作部へ入力された新券紙幣の自己精査処理操作に基づいて新券収納庫４１〜４４の対応するものの紙幣を自己精査する自己精査処理の往路ルートを示している。つまり、新券紙幣の自己精査処理では、図１３に実線のルートＲ２３で示すように、新券収納庫４１〜４４のうちの設定された一つに収納されている紙幣を上端のものから図示略の繰出部が繰り出すことになり、繰り出した紙幣を、新券搬送経路５１Ｑ〜５１Ｔの対応するものと転換搬送経路５１Ｂと上側搬送経路５１Ａとで識別部２８に搬送し、識別部２８で識別計数しつつ、上側搬送経路５１Ａ、接続搬送経路５１Ｉおよび搬送経路５１Ｈを介して一時貯留紙幣庫３８に搬送する。そして、新券収納庫４１〜４４のうちの設定された一つに収納されていた紙幣をすべて繰り出す。なお、この搬送中、識別部２８で重送等と識別した紙幣については、図１３に実線から破線のルートＲ２４で示すように、上側搬送経路５１Ａ、搬送経路５１Ｌ，５１Ｋ，５１Ｍによって出金リジェクト部２７に搬送し収納する。
【００５２】
図１４は、上記した新券紙幣の自己精査処理の復路ルートを示している。上記したように一時貯留紙幣庫３８に一旦移した新券紙幣を、図１４に実線のルートで示すように、搬送経路５１Ｈ、接続搬送経路５１Ｉ、上側搬送経路５１Ａで搬送し、この上側搬送経路５１Ａでの搬送中に識別部２８が新券紙幣を識別計数することになる。制御部５５は、識別部２８が受け入れ可能かつ所定の劣化度合いを超えていない紙幣と評価した紙幣を、図１４に実線のルートＲ２５で示すように、転換搬送経路５１Ｂから、新券搬送経路５１Ｑ〜５１Ｔの対応するものを介して、新券収納庫４１、新券収納庫４２、新券収納庫４３および新券収納庫４４の対応する金種のものへ収納する。他方、識別部２８が受け入れ可能かつ所定の劣化度合いを超えている紙幣と評価した紙幣を、図１４に実線から一点鎖線のルートＲ２６で示すように、転換搬送経路５１Ｂ、下側搬送経路５１Ｃおよび搬送経路５１Ｄ〜５１Ｇの対応するものを介して、収納紙幣庫３５〜３７の対応する金種のものへ収納する。つまり、新券収納庫４１〜４４に収納されるべき新券紙幣を、評価手段が所定の劣化度合いを超えた紙幣と評価した場合に、この紙幣を収納紙幣庫３４〜３７内へ搬送する。この場合も、収納紙幣庫３５〜３７が満杯である場合と収納紙幣庫３５〜３７に対応しない紙幣（二千円券）とについては、紙幣を金種混合の収納紙幣庫３４に収納する。また、搬送中、識別部２８で重送等と識別した紙幣については、図１４に実線から一点鎖線、さらに破線のルートＲ２７で示すように、転換搬送経路５１Ｂ、下側搬送経路５１Ｃ、搬送経路５１Ｊ，５１Ｉ，５１Ｋ，５１Ｍによって出金リジェクト部２７に搬送し収納する。
【００５３】
以上により、識別部２８の計数結果と、新券収納庫４１〜４４の自己精査処理を行ったものに収納された紙幣の枚数とが一致することになり、このような自己精査処理を、新券収納庫４１〜４４のうちの設定されたものについて、それぞれ個別に行うことになる。なお、新券収納庫４１〜４４にそれぞれ収納された紙幣の合計枚数が一時貯留紙幣庫３８の最大収納枚数以下であった場合には、上記の新券の自己精査処理をそれぞれ個別に行う必要はなく、すべて一括して行うこともできる。
【００５４】
以上に述べた第１実施形態の紙幣入出金機１１によれば、取引口２１から後方に延出する上側搬送経路５１Ａ、上側搬送経路５１Ａから下方かつ前方に折り返す転換搬送経路５１Ｂ、および転換搬送経路５１Ｂから前方に延出する下側搬送経路５１Ｃを設け、下側搬送経路５１Ｃの下方に、容量が比較的多く高さが必要な紙幣庫３４〜３８を、下側搬送経路５１Ｃに沿う水平方向に並設する。そして、複数の紙幣庫３４〜３８の後方に、容量が比較的少なく高さが低く済む新券紙幣専用の複数の新券収納庫４１〜４４を鉛直方向に直列状に配置する。したがって、同一の筐体６０内に、複数の紙幣庫３４〜３８とともに複数の新券収納庫４１〜４４を効率的にレイアウトすることができる。
【００５５】
また、複数の新券収納庫４１〜４４を、複数の紙幣庫３４〜３８の高さ範囲に加えて、識別部２８が設けられた環状搬送経路５２の高さ範囲にも設けたため、個々の新券収納庫４１〜４４の高さを十分に確保できる。
【００５６】
また、流通券紙幣の入金時は、取引口２１に投入された流通券紙幣を上側搬送経路５１Ａ、転換搬送経路５１Ｂおよび下側搬送経路５１Ｃを介して一の紙幣庫３８に一時貯留し、識別部２８の識別結果に基づく承認操作を受けて、搬送経路５１Ｈから接続搬送経路５１Ｉおよび上側搬送経路５１Ａに搬送し、上側搬送経路５１Ａの識別部２８の識別結果に基づいて、転換搬送経路５１Ｂおよび下側搬送経路５１Ｃを介して他の複数の紙幣庫３４〜３７に分類収納する。加えて、流通券紙幣の出金時には、他の複数の紙幣庫３５〜３７から下側搬送経路５１Ｃ、転換搬送経路５１Ｂおよび上側搬送経路５１Ａを介して取引口２１に出金する。これに対して、新券紙幣を新券収納庫４１〜４４に収納する場合には、取引口２１に投入された新券紙幣を上側搬送経路５１Ａ、転換搬送経路５１Ｂおよび新券搬送経路５１Ｑ〜５１Ｔを介して搬送し、上側搬送経路５１Ａの識別部２８の識別結果に基づいて、新券収納庫４１〜４４に分類収納する。加えて、新券紙幣の出金時には、新券収納庫４１〜４４から新券搬送経路５１Ｑ〜５１Ｔ、転換搬送経路５１Ｂおよび上側搬送経路５１Ａを介して取引口２１に出金する。よって、少なくとも、入出金を行う取引口２１、識別を行う識別部２８および紙幣を搬送する上側搬送経路５１Ａを流通券紙幣および新券紙幣で共用することができる。
【００５７】
また、新券紙幣を、上側搬送経路５１Ａで搬送し、その際に、上側搬送経路５１Ａの識別部２８の評価手段が、新券紙幣の劣化度合を評価し、所定の劣化度合いを超えた紙幣と評価された新券紙幣を、制御部５５が新券紙幣用ではない流通券紙幣用の紙幣庫３４〜３７の対応するもの内へ搬送する。したがって、新券紙幣としての使用に適さない紙幣を流通券紙幣として紙幣庫３４〜３７の対応するものへ収納し、新券指定がない場合の出金用として有効に使用できる。
【００５８】
次に、本発明の第２実施形態に係る紙幣入出金機を図１５〜図３０を参照して第１実施形態との相違部分を中心に説明する。なお、第１実施形態と同様の部分には同一の符号を付しその説明は略す。
【００５９】
第２実施形態においては、図１５に示すように、前後方向に水平直線状に並設されている収納紙幣庫の中に、比較的流通量の少ない所定の単一金種（具体的には五千円券）のバラ紙幣を収納する収納紙幣庫は、設けられていない。つまり、紙幣入出金機１１の下部には奥側（後側）から順に、入金確定後のオーバーフロー紙幣等を金種混合で収納する収納紙幣庫３４、入金確定後の所定の単一金種（具体的には千円券）用の収納紙幣庫３５、入金確定後の所定の単一金種（具体的には万円券）用の収納紙幣庫３７および入金確定前のバラ紙幣用の金種混合の一時貯留紙幣庫３８が設けられている。これら紙幣庫３４，３５，３７，３８は下部引出ユニット６３内の後端から順に配置されている。このように、紙幣庫の数が減った分、紙幣庫３４，３５，３７，３８の前にスペースが発生している。
【００６０】
そして、第２実施形態においては、上記のように生じた紙幣庫３４〜３８の前のスペース、つまり紙幣入出金機１１の下部の前部のスペースに、上側から順に、比較的流通量の少ない所定の単一金種（具体的には五千円券）の流通券紙幣を収納する収納紙幣庫（専用収納庫）３６、所定の単一金種（具体的には万円券）の新券紙幣を収納する新券収納庫４１、所定の単一金種（具体的には五千円券）の新券紙幣を収納する新券収納庫４２および所定の単一金種（具体的には千円券）の新券紙幣を収納する新券収納庫４４が設けられている。なお、上下方向に鉛直直線状に並設される新券収納庫の中に、最も流通量の少ない所定の単一金種（具体的には二千円券）の新券紙幣を収納する新券収納庫は設けられていない。
【００６１】
上記により、第２実施形態において、紙幣入出金機１１の後部には新券収納庫が設けられておらず、転換搬送経路５１Ｂと新券収納庫とを繋ぐ新券搬送経路も設けられていない。そして、後部引出ユニットそのものが設けられておらず、転換搬送経路５１Ｂが上部引出ユニット６２および下部引出ユニット６３の開閉体６６にまたがって設けられている。
【００６２】
収納紙幣庫３６は、複数の新券収納庫４１，４２，４４と、高さを含む大きさが同じであって容量も同じであり、収納紙幣庫３６および新券収納庫４１，４２，４４は、前後左右の位置を合わせて上下方向に鉛直直線状に並設されている。これら収納紙幣庫３６および新券収納庫４１，４２，４４は、すべて下部引出ユニット６３の引出体６５内に配置されており、これらの鉛直上方に上記した環状搬送経路５２が配置されている。
【００６３】
紙幣庫の数が減り、収納紙幣庫３７および一時貯留紙幣庫３８が後側にずれたことにより、下側搬送経路５１Ｃから分岐する搬送経路５１Ｆに収納紙幣庫３７が、搬送経路５１Ｇに一時貯留紙幣庫３８が、それぞれ接続されている。また、搬送経路５１Ｇは一時貯留紙幣庫３８からの紙幣を、下側搬送経路５１Ｃに、転換搬送経路５１Ｂおよび搬送経路５１Ｊの両方向に搬送できるように繰り出し可能となっている。加えて、下側搬送経路５１Ｃの端末位置に繋がり接続搬送経路５１Ｉにも繋がる搬送経路５１Ｈが、収納紙幣庫３６の下側の新券収納庫４１に接続されている。つまり、この搬送経路５１Ｈは新券搬送経路５１Ｈとなっている。
【００６４】
紙幣搬送路５１は、新券搬送経路５１Ｈに一方で接続され他方で収納紙幣庫３６に接続される搬送経路５１Ｕと、新券収納庫４１の下側の新券収納庫４２と接続搬送経路５１Ｉとを、新券搬送経路５１Ｈを介して繋ぐ新券搬送経路５１Ｖと、新券収納庫４２の下側の新券収納庫４４と接続搬送経路５１Ｉとを、新券搬送経路５１Ｖ，５１Ｈを介して繋ぐ接続搬送経路５１Ｗとを有している。これら搬送経路５１Ｕ〜５１Ｗは、正逆両方向に紙幣を搬送可能となっている。つまり、新券収納庫４１，４２，４４との間で紙幣を出し入れする正逆搬送可能な新券搬送経路５１Ｈ，５１Ｖ，５１Ｗが、接続搬送経路５１Ｉに接続され、また、収納紙幣庫３６との間で紙幣を出し入れする正逆搬送可能な搬送経路５１Ｕが新券搬送経路５１Ｈに接続されている。
【００６５】
次に、第２実施形態に係る紙幣入出金機１１の各処理について説明する。
【００６６】
「入金処理」
図１６は入金処理のルートを示している。入金処理では、第１実施形態と同様、取引口２１から繰り出した紙幣を上側搬送経路５１Ａで搬送しつつ識別部２８で識別計数することになり、識別部２８で受け入れ可能と判定した紙幣を、図１６に実線のルートＲ３１で示すように、転換搬送経路５１Ｂ、下側搬送経路５１Ｃおよび搬送経路５１Ｇを介して一時貯留紙幣庫３８に搬送する。他方、識別部２８で受け入れ不可と判定した紙幣は、図１６に実線から破線のルートＲ３２で示すように、識別部２８の識別以降は、第１実施形態と同様にして入金リジェクト部２６に搬送する。
【００６７】
「収納処理」
図１７は収納処理のルートを示している。収納処理では、一時貯留紙幣庫３８から繰り出した紙幣のうち、収納紙幣庫３４，３５，３７に収納するものは、図１７に実線のルートＲ３３で示すように、搬送経路５１Ｇ、下側搬送経路５１Ｃ、搬送経路５１Ｊ、接続搬送経路５１Ｉおよび上側搬送経路５１Ａの経路構成部５１Ａａで識別部２８に搬送し、識別部２８の識別結果に基づいて、転換搬送経路５１Ｂおよび下側搬送経路５１Ｃと、搬送経路５１Ｄ〜５１Ｆの対応するものとによって、収納紙幣庫３４，３５，３７の対応するものに搬送する。また、収納紙幣庫３６に収納する紙幣は、図１７に実線から一点鎖線のルートＲ３４で示すように、識別部２８の識別結果に基づいて、転換搬送経路５１Ｂおよび下側搬送経路５１Ｃと、新券搬送経路５１Ｈおよび搬送経路５１Ｕとによって収納紙幣庫３６に搬送する。収納処理時に、識別部２８で重送等と識別した紙幣については、図１７に実線から一点鎖線、さらに破線のルートＲ３５で示すように、識別部２８の識別以降、第１実施形態と同様にして出金リジェクト部２７に搬送する。
【００６８】
「返却処理」
図１８は返却処理のルートを示している。返却処理のルートＲ３６では、一時貯留紙幣庫３８から繰り出した紙幣を、搬送経路５１Ｇ、下側搬送経路５１Ｃ、転換搬送経路５１Ｂおよび上側搬送経路５１Ａによって取引口２１に搬送する。
【００６９】
「通常のバラ紙幣出金処理」
図１９は通常のバラ紙幣出金処理のルートを示している。通常のバラ紙幣出金処理では、指定された金種に収納紙幣庫３５，３７の紙幣がある場合は、図１９に実線のルートＲ３７で示すように、収納紙幣庫３５，３７の対応するものから繰り出した紙幣を、搬送経路５１Ｅ，５１Ｆの対応するものと下側搬送経路５１Ｃと転換搬送経路５１Ｂと上側搬送経路５１Ａとで識別部２８に搬送する。また、指定された金種に収納紙幣庫３６の紙幣がある場合は、収納紙幣庫３６から繰り出した紙幣を、搬送経路５１Ｕおよび新券搬送経路５１Ｈと下側搬送経路５１Ｃと転換搬送経路５１Ｂと上側搬送経路５１Ａとで識別部２８に搬送する。いずれの場合も、識別部２８の識別以降は、第１実施形態と同様にして取引口２１に紙幣を搬送する。なお、この出金処理にて識別部２８で重送等と識別した紙幣についても、図１９に実線から破線のルートＲ３８で示すように、識別部２８の識別以降、第１実施形態と同様にして出金リジェクト部２７に搬送する。
【００７０】
「束出金処理」
図２０は束出金処理のルートを示している。束出金処理では、指定された金種が収納紙幣庫３５，３７のいずれかの紙幣である場合は、図２０に実線のルートＲ３９で示すように、収納紙幣庫３５，３７の指定された金種のものから繰り出した紙幣を、搬送経路５１Ｅ，５１Ｆの対応するものと下側搬送経路５１Ｃと転換搬送経路５１Ｂと上側搬送経路５１Ａとで識別部２８に搬送する。また、指定された金種が収納紙幣庫３６の紙幣である場合は、収納紙幣庫３６から繰り出された紙幣を、搬送経路５１Ｕおよび新券搬送経路５１Ｈと下側搬送経路５１Ｃと転換搬送経路５１Ｂと上側搬送経路５１Ａとで識別部２８に搬送する。いずれの場合も、識別部２８の識別以降は、第１実施形態と同様にして整列部３０、移送部３３、結束部３１および束出金部３２に紙幣を搬送する。なお、束出金処理にて識別部２８で重送等と識別した紙幣についても、図２０に実線から破線のルートＲ４０で示すように、識別部２８の識別以降、第１実施形態と同様にして出金リジェクト部２７に搬送する。
【００７１】
「通常の自己精査処理」
図２１は自己精査処理の往路ルートを示している。自己精査処理の往路ルートでは、収納紙幣庫３４，３５，３７の何れかが設定された場合は、図２１に実線のルートＲ４１で示すように、収納紙幣庫３４，３５，３７のうちの設定された一つから繰り出した紙幣を、搬送経路５１Ｄ〜５１Ｆの対応するものと下側搬送経路５１Ｃと転換搬送経路５１Ｂと上側搬送経路５１Ａとで識別部２８に搬送する。また、設定されたものが収納紙幣庫３６である場合、収納紙幣庫３６から繰り出した紙幣を、図２１に一点鎖線から実線のルートＲ４２で示すように、搬送経路５１Ｕおよび新券搬送経路５１Ｈと下側搬送経路５１Ｃと転換搬送経路５１Ｂと上側搬送経路５１Ａとで識別部２８に搬送する。そして、いずれの場合も、紙幣を識別部２８で識別計数しつつ、上側搬送経路５１Ａの経路構成部５１Ａａ、接続搬送経路５１Ｉ、搬送経路５１Ｊ、下側搬送経路５１Ｃおよび搬送経路５１Ｇを介して一時貯留紙幣庫３８に搬送する。このようにして収納紙幣庫３４〜３７のうちの設定された一つに収納されていた紙幣をすべて繰り出す。なお、いずれの場合も、識別部２８で重送等と識別した紙幣については、図２１に実線から破線のルートＲ４３で示すように、識別部２８の識別以降、第１実施形態と同様にして出金リジェクト部２７に搬送する。
【００７２】
図２２は自己精査処理の復路ルートを示している。自己精査処理の復路ルートでは、一時貯留紙幣庫３８に一旦移した紙幣を、図２２に実線のルートＲ４４で示すように、搬送経路５１Ｇと下側搬送経路５１Ｃと搬送経路５１Ｊと合流搬送経路５１Ｉと上側搬送経路５１Ａの経路構成部５１Ａａとで識別部２８に搬送し、識別部２８で識別計数する。そして、識別部２８の識別結果に基づいて、収納紙幣庫３４，３５，３７の何れかに収納すべき紙幣である場合は、転換搬送経路５１Ｂ、下側搬送経路５１Ｃおよび搬送経路５１Ｄ〜５１Ｆの対応するものを介して、収納紙幣庫３４，３５，３７の対応する金種のものに搬送する。また、識別部２８の識別結果に基づいて、収納紙幣庫３６に収納すべき紙幣である場合は、図２２に実線から一点鎖線のルートＲ４５で示すように、転換搬送経路５１Ｂ、下側搬送経路５１Ｃ、新券搬送経路５１Ｈおよび搬送経路５１Ｕを介して、収納紙幣庫３６に搬送する。なお、自己精査処理の復路ルートにて、識別部２８で重送等と識別した紙幣については、図２２に実線から一点鎖線、さらに破線のルートＲ４６で示すように、識別部２８の識別以降、第１実施形態と同様にして出金リジェクト部２７に搬送する。
【００７３】
「ローカル整理処理」
図２３はローカル整理処理の往路ルートを示している。ローカル整理処理では、第１実施形態と同様、取引口２１から繰り出した紙幣を上側搬送経路５１Ａで搬送しつつ識別部２８で識別計数することになり、識別部２８で受け入れ可能と判定した紙幣を、図２３に実線のルートＲ４７で示すように、転換搬送経路５１Ｂ、下側搬送経路５１Ｃおよび搬送経路５１Ｇを介して一時貯留紙幣庫３８に搬送する。他方、識別部２８で受け入れ不可と判定した紙幣は、図２３に実線から破線のルートＲ４８で示すように、識別部２８の識別以降、第１実施形態と同様にして入金リジェクト部２６に搬送する。
【００７４】
図２４はローカル整理処理の復路ルートを示している。ローカル整理処理では、一時貯留紙幣庫３８に一旦収納した紙幣を、図２４に実線のルートＲ４９で示すように、下側搬送経路５１Ｃ、転換搬送経路５１Ｂおよび上側搬送経路５１Ａを介して識別部２８に搬送し、識別部２８の識別以降、第１実施形態と同様にして整列部３０、移送部３３、結束部３１および束出金部３２に搬送する。なお、ローカル整理処理にて識別部２８で重送等と識別した紙幣についても、図２４に実線から破線のルートＲ５０で示すように、識別部２８の識別以降、第１実施形態と同様にして入金リジェクト部２６に放出する。
【００７５】
「新券指定のバラ紙幣出金処理」
図２５は、新券指定のバラ紙幣出金処理のルートを示している。新券指定のバラ出金処理では、図２５に実線のルートＲ５１で示すように、新券収納庫４１，４２，４４の指定された金種のものから繰り出した紙幣を、新券搬送経路５１Ｈ，５１Ｖ，５１Ｗの対応するものと下側搬送経路５１Ｃと転換搬送経路５１Ｂと上側搬送経路５１Ａとで識別部２８に搬送し、識別部２８の識別以降、第１実施形態と同様にして、取引口２１に搬送する。なお、識別部２８で重送等と識別した新券紙幣については、図２５に実線から破線のルートＲ５２で示すように、識別部２８の識別以降、第１実施形態と同様にして出金リジェクト部２７に収納する。
【００７６】
「新券補充処理」
図２６は、新券補充処理のルートを示している。新券補充処理では、取引口２１から繰り出した紙幣を上側搬送経路５１Ａで搬送しつつ識別部２８で識別計数することになる。このとき、識別部２８は、新券紙幣の劣化度合を評価し、受け入れ可能かつ所定の劣化度合いを超えていない紙幣と評価した紙幣を、図２６に実線のルートＲ５３で示すように、転換搬送経路５１Ｂと、下側搬送経路５１Ｂと、新券搬送経路５１Ｈ，５１Ｖ，５１Ｗの対応するものとを介して、新券収納庫４１、新券収納庫４２および新券収納庫４４の対応する金種のものへ収納する。他方、識別部２８が受け入れ可能かつ所定の劣化度合いを超えている紙幣と評価した紙幣を、図２６に実線から一点鎖線のルートＲ５４で示すように、転換搬送経路５１Ｂ、下側搬送経路５１Ｃおよび搬送経路５１Ｄ〜５１Ｆの対応するものを介して、収納紙幣庫３４，３５，３７の対応するもの、あるいは転換搬送経路５１Ｂ、下側搬送経路５１Ｃおよび新券搬送経路５１Ｈおよび搬送経路５１Ｕを介して収納収納庫３６へ収納する。つまり、新券収納庫４１，４２，４４に収納されるべき新券紙幣を、評価手段が所定の劣化度合いを超えた紙幣と評価した場合に、この紙幣を収納紙幣庫３４，３５，３７内へ搬送する。この場合も、識別部２８で受け入れ不可と判定した紙幣は、図２６に実線から破線のルートＲ５５で示すように、識別部２８の識別以降、第１実施形態と同様にして入金リジェクト部２６に搬送する。
【００７７】
「新券紙幣の自己精査処理」
図２７は、新券紙幣の自己精査処理の往路ルートを示している。新券紙幣の自己精査処理では、図２７に実線のルートＲ５６で示すように、新券収納庫４１，４２，４４のうちの設定された一つから繰り出した紙幣を、新券搬送経路５１Ｈ，５１Ｖ，５１Ｗの対応するものと接続搬送経路５１Ｉと上側搬送経路５１Ａの経路構成部５１Ａａとを介して識別部２８に搬送し、識別部２８で識別計数しつつ、転換搬送経路５１Ｂ、下側搬送経路５１Ｃおよび搬送経路５１Ｇを介して一時貯留紙幣庫３８に搬送する。なお、このとき、識別部２８で重送等と識別した紙幣については、図２７に実線から破線のルートＲ５７で示すように、転換搬送経路５１Ｂ、下側搬送経路５１Ｃ、搬送経路５１Ｊ、接続搬送経路５１Ｉ、搬送経路５１Ｋ，５１Ｍによって出金リジェクト部２７に搬送する。
【００７８】
図２８は、上記した新券紙幣の自己精査処理の復路ルートを示している。この復路ルートでは、一時貯留紙幣庫３８から繰り出した紙幣を、図２８に実線のルートＲ５８で示すように、搬送経路５１Ｇ、下側搬送経路５１Ｃ、搬送経路５１Ｊ、接続搬送経路５１Ｉおよび上側搬送経路５１Ａの経路構成部５１Ａａを介して識別部２８に搬送し、識別部２８で識別計数する。そして、識別部２８の識別結果に基づいて、受け入れ可能かつ所定の劣化度合いを超えていない紙幣と評価した紙幣を、転換搬送経路５１Ｂと、下側搬送経路５１Ｃと、新券搬送経路５１Ｈ，５１Ｖ，５１Ｗの対応するものとを介して新券収納庫４１，４２，４４の対応する金種のものへ搬送する。他方、識別部２８が受け入れ可能かつ所定の劣化度合いを超えている紙幣と評価した紙幣については、収納紙幣庫３４，３５，３７の何れかに対応するもの（収納紙幣庫３５，３７のオーバーフロー紙幣、千円券、万円券）である場合、図２８に実線から一点鎖線のルートＲ５９で示すように、この紙幣を、転換搬送経路５１Ｂと、下側搬送経路５１Ｃと、搬送経路５１Ｄ，５１Ｅ，５１Ｆの対応するものとを介して収納紙幣庫３４，３５，３７の対応するものに搬送する一方、収納紙幣庫３６に対応するもの（五千円券）である場合、この紙幣を、転換搬送経路５１Ｂ、下側搬送経路５１Ｃ、新券搬送経路５１Ｈおよび搬送経路５１Ｕを介して、収納紙幣庫３６に搬送する。つまり、新券収納庫４１，４２，４４に収納されるべき新券紙幣を、評価手段が所定の劣化度合いを超えた紙幣と評価した場合に、この紙幣を収納紙幣庫３４，３５，３７，３６内へ搬送する。また、識別部２８で重送等と識別した紙幣については、図２７に実線から破線のルートＲ６０で示すように、識別部２８の識別以降は、第１実施形態と同様にして出金リジェクト部２７に搬送する。
【００７９】
「新券紙幣の自己精査処理の変形例」
図２９は、新券紙幣の自己精査処理の変形例の往路ルートを示している。この新券紙幣の自己精査処理の往路ルートでは、図２９に実線のルートＲ６１で示すように、新券収納庫４１，４２，４４のうちの設定された一つから繰り出した紙幣を、新券搬送経路５１Ｈ，５１Ｖ，５１Ｗの対応するものと接続搬送経路５１Ｉと上側搬送経路５１Ａの経路構成部５１Ａａとを介して識別部２８に搬送し、識別部２８で識別計数する。そして、識別部２８の識別結果に基づいて、受け入れ可能かつ所定の劣化度合いを超えていない紙幣と評価した紙幣を、転換搬送経路５１Ｂ、下側搬送経路５１Ｃおよび搬送経路５１Ｇを介して一時貯留紙幣庫３８に搬送する。他方、識別部２８が受け入れ可能かつ所定の劣化度合いを超えている紙幣と評価した紙幣を、収納紙幣庫３４，３５，３７に対応するもの（収納紙幣庫３５，３７のオーバーフロー紙幣、千円券、万円券）については、図２９に実線から一点鎖線ルートＲ６２で示すように、転換搬送経路５１Ｂと、下側搬送経路５１Ｃと、搬送経路５１Ｄ〜５１Ｆの対応するものとを介して収納紙幣庫３４，３５，３７の対応するものに搬送し、収納紙幣庫３６に対応するもの（五千円券）については、転換搬送経路５１Ｂ、下側搬送経路５１Ｃおよび搬送経路５１Ｄを介して収納紙幣庫３４に搬送する。つまり、新券収納庫４１，４２，４４から繰り出された新券紙幣を、評価手段が所定の劣化度合いを超えた紙幣と評価した場合に、この紙幣を収納紙幣庫３４，３５，３７内へ搬送する。また、識別部２８で重送等と識別した紙幣については、図２９に実線から破線のルートＲ６３で示すように、転換搬送経路５１Ｂ、下側搬送経路５１Ｃ、搬送経路５１Ｊ、接続搬送経路５１Ｉ、搬送経路５１Ｋ，５１Ｍによって出金リジェクト部２７に搬送し収納する。
【００８０】
図３０は、上記した新券紙幣の自己精査処理の変形例の復路ルートを示している。この復路ルートでは、一時貯留紙幣庫３８から繰り出した紙幣を、図３０に実線のルートＲ６４で示すように、下側搬送経路５１Ｃ、転換搬送経路５１Ｂ、上側搬送経路５１Ａの経路構成部５１Ａａを介して識別部２８に搬送し、識別部２８で識別計数しつつ、識別部２８の識別結果に基づいて、接続搬送経路５１Ｉと、新券搬送経路５１Ｈ，５１Ｖ，５１Ｗの対応するものとを介して新券収納庫４１，４２，４４の対応する金種のものへ収納する。また、識別部２８で重送等と識別した紙幣については、図３０に実線から破線のルートＲ６５で示すように、搬送経路５１Ｌ，５１Ｋ，５１Ｍを介して出金リジェクト部２７に搬送する。
【００８１】
以上に述べた第２実施形態の紙幣入出金機１１によれば、取引口２１から後方に延出する上側搬送経路５１Ａ、上側搬送経路５１Ａから下方かつ前方に折り返す転換搬送経路５１Ｂ、および転換搬送経路５１Ｂから前方に延出する下側搬送経路５１Ｃを設け、下側搬送経路５１Ｃの下方に、容量が比較的多く高さが必要な紙幣庫３４，３５，３７，３８を、下側搬送経路５１Ｃに沿う水平方向に並設する。そして、複数の紙幣庫３４，３５，３７，３８の前方に、容量が比較的少なく高さが低く済む新券紙幣専用の複数の新券収納庫４１，４２，４４を鉛直方向に直列状に配置する。したがって、同一の筐体６０内に、複数の紙幣庫３４，３５，３７，３８とともに複数の新券収納庫４１，４２，４４を効率的にレイアウトすることができる。
【００８２】
また、流通券紙幣の入金時は、取引口２１に投入された流通券紙幣を上側搬送経路５１Ａ、転換搬送経路５１Ｂおよび下側搬送経路５１Ｃを介して一の紙幣庫３８に一時貯留し、識別部２８の識別結果に基づく承認操作を受けて、下側搬送経路５１Ｃ、搬送経路５１Ｊから接続搬送経路５１Ｉを介して上側搬送経路５１Ａに搬送し、上側搬送経路５１Ａの識別部２８の識別結果に基づいて、転換搬送経路５１Ｂおよび下側搬送経路５１Ｃを介して他の複数の紙幣庫３４，３５，３７に分類収納する。加えて、流通券紙幣の出金時には、上記他の複数の紙幣庫３５，３７から下側搬送経路５１Ｃ、転換搬送経路５１Ｂおよび上側搬送経路５１Ａを介して紙幣を取引口２１に出金する。これに対して、新券紙幣を新券収納庫４１，４２，４４に収納する場合には、取引口２１に投入された新券紙幣を上側搬送経路５１Ａ、転換搬送経路５１Ｂ、下側搬送経路５１Ｃ、新券搬送経路５１Ｈ，５１Ｖ，５１Ｗを介して搬送し、上側搬送経路５１Ａの識別部２８の識別結果に基づいて、新券収納庫４１，４２，４４に分類収納する。加えて、新券紙幣の出金時には、新券収納庫４１，４２，４４から新券搬送経路５１Ｖ，５１Ｗ，５１Ｈ、下側搬送経路５１Ｃ、転換搬送経路５１Ｂおよび上側搬送経路５１Ａを介して取引口２１に紙幣を出金する。よって、少なくとも、入出金を行う取引口２１、識別を行う識別部２８および紙幣を搬送する上側搬送経路５１Ａを流通券紙幣および新券紙幣で共用することができる。
【００８３】
また、容量が比較的少なく高さが低く済む五千円券専用の収納紙幣庫３６を、複数の新券収納庫４１，４２，４４とともに鉛直方向に直列状に配置するため、この収納紙幣庫３６の分は、下側搬送経路５１Ｃの下方で下側搬送経路５１Ｃに沿って並設される紙幣庫３４，３５，３７，３８の数を減らすことができる。したがって、さらに効率的なレイアウトにできる。なお、この場合、容量が比較的少なく高さが低く済む二千円券専用収納庫を、複数の新券収納庫４１，４２，４４とともに鉛直方向に直列状に配置しても良く、五千円券専用の収納紙幣庫３６および二千円券専用収納庫の両方を複数の新券収納庫４１，４２，４４とともに鉛直方向に直列状に配置しても良い。つまり、容量が比較的少なく高さが低く済む五千円券専用収納庫および二千円券専用収納庫のうちの少なくとも何れか一方の専用収納庫を、複数の新券収納庫とともに鉛直方向に直列状に配置することが可能である。
【００８４】
なお、第１実施形態において、第２実施形態のように、例えば収納紙幣庫３６を新券収納庫４１〜４４とともに鉛直方向に直列状に配置し、この収納紙幣庫３６との間で紙幣を出し入れする搬送経路を、新券搬送経路５１Ｑ〜５１Ｔの何れかに接続させても良い。
【符号の説明】
【００８５】
１１  紙幣入出金機
２１  取引口
２８  識別部
５１Ａ  上側搬送経路
５１Ｂ  転換搬送経路
５１Ｃ  下側搬送経路
５１Ｉ  接続搬送経路
３４〜３７  収納紙幣庫（紙幣庫）
３６  収納紙幣庫（専用収納庫）
３８  一時貯留紙幣庫（紙幣庫）
４１〜４４  新券収納庫
５１Ｈ，５１Ｑ〜５１Ｔ，５１Ｖ，５１Ｗ  新券搬送経路
５１Ｕ  搬送経路
５５  制御部（制御手段）
【図１】
0005712081.tif 000002
【図２】
0005712081.tif 000003
【図３】
0005712081.tif 000004
【図４】
0005712081.tif 000005
【図５】
0005712081.tif 000006
【図６】
0005712081.tif 000007
【図７】
0005712081.tif 000008
【図８】
0005712081.tif 000009
【図９】
0005712081.tif 000010
【図１０】
0005712081.tif 000011
【図１１】
0005712081.tif 000012
【図１２】
0005712081.tif 000013
【図１３】
0005712081.tif 000014
【図１４】
0005712081.tif 000015
【図１５】
0005712081.tif 000016
【図１６】
0005712081.tif 000017
【図１７】
0005712081.tif 000018
【図１８】
0005712081.tif 000019
【図１９】
0005712081.tif 000020
【図２０】
0005712081.tif 000021
【図２１】
0005712081.tif 000022
【図２２】
0005712081.tif 000023
【図２３】
0005712081.tif 000024
【図２４】
0005712081.tif 000025
【図２５】
0005712081.tif 000026
【図２６】
0005712081.tif 000027
【図２７】
0005712081.tif 000028
【図２８】
0005712081.tif 000029
【図２９】
0005712081.tif 000030
【図３０】
0005712081.tif 000031